(57)【要約】  【課題】火災感知器の種別としては、定温式熱感知器、差動式熱感知器、光電式煙感知器、炎感知器等があり、定温式熱感知器のプログラム、差動式熱感知器のプログラム、光電式煙感知器のプログラム、炎感知器のプログラムを、互いに別々のメモリに格納して保管、管理するので、部品や在庫の管理が煩雑であるという問題がある。【解決手段】定温式熱感知器、差動式熱感知器、光電式煙感知器、炎感知器等、種別の異なる複数の火災感知器のプログラムを格納しているメモリと、種別コードを格納した記憶部と、前記種別の異なる複数の火災感知器のプログラムのうちで、前記種別コードの種別の火災感知器のプログラムを実行するプログラム実行手段とを有することを特徴とする。【選択図】図１
2013069160.tif 000002
【特許請求の範囲】
【請求項１】
定温式熱感知器、差動式熱感知器、光電式煙感知器、炎感知器等、種別の異なる複数の火災感知器のプログラムを格納しているメモリと、
種別コードを格納した記憶部と、
前記種別の異なる複数の火災感知器のプログラムのうちで、前記種別コードの種別の火災感知器のプログラムを実行するプログラム実行手段と
を有することを特徴とする火災感知器。
【請求項２】
前記メモリは、前記種別の異なる複数の火災感知器のプログラムのうちで、共通する部分を１つのプログラムに置換えて格納しているメモリであることを特徴とする請求項１の火災感知器。
【請求項３】
前記記憶部には、火災感知器個々の調整を行う個別コードが格納され、前記種別コードは、個別コードを格納するときに同時に格納されることを特徴とする請求項１または２の火災感知器。
【発明の詳細な説明】
【技術分野】
【０００１】
この発明は、火災感知器として動作するプログラムを機種別に複数備え、どの種別で動作するかをデータで指定する火災感知器に関する。
【背景技術】
【０００２】
従来、火災感知器は、監視領域の温度や煙の濃度などにより火災を監視するものであり、単独で動作するものにおいては、火災警報として発光するＬＥＤ等と音響鳴動するブザーまたはスピーカーを動作させ、火災報知設備の中で動作するものにおいては、火災警報として発光するＬＥＤを動作させるとともに火災発生を火災受信機に通知する。
【０００３】
火災感知器の種別としては、定温式熱感知器、差動式熱感知器、光電式煙感知器、炎感知器等がある。
【０００４】
定温式熱感知器は、監視環境の温度をサーミスタなどの温度により状態が変化する素子の状態に基づき感知した温度が、所定の温度を超えたときに火災を検出する。（例えば、特許文献１参照）また、差動式熱感知器は、監視環境の温度をサーミスタなどの温度により状態が変化する素子の状態に基づき感知した温度が、所定の期間内に所定の温度以上に上昇したときに火災を検出する。（例えば、特許文献２参照）
また、光電式煙感知器は、外光を遮断した暗室部に流入してくる煙粒子に発光素子からの光を照射するとともに、受光素子で受光した煙粒子で反射する散乱光が所定の量を超えたときに火災を検出する。（例えば、特許文献３参照）
また、炎感知器は、焦電素子により感知した炎から放射される赤外線等が、所定の量を超えたときに火災を検出する。（例えば、特許文献４参照）
これらの定温式熱感知器、差動式熱感知器、光電式煙感知器、炎感知器（以下、総称して「火災感知器」という）において、火災の検知の方法は異なるが、火災を検出した後の火災警報の動作は、共通である。
【先行技術文献】
【特許文献】
【０００５】
【特許文献１】特開平７−３３３０７４号公報
【特許文献２】特開平６−８４０７５号公報
【特許文献３】特開平７−１２１７８５号公報
【特許文献４】特開２００２−１６３７３８号公報
【発明の概要】
【発明が解決しようとする課題】
【０００６】
従来の火災感知器では、定温式熱感知器のプログラム、差動式熱感知器のプログラム、光電式煙感知器のプログラム、炎感知器のプログラムは、互いに別々のプログラムで作成されている。そして、互いに別々のメモリに書き込まれ保管、管理されている。
【０００７】
そして、上記定温式熱感知器のプログラム、差動式熱感知器のプログラム、光電式煙感知器のプログラム、炎感知器のプログラムが書き込まれたメモリを搭載した基板を、筐体に取り付ける。
【０００８】
上記従来例において、定温式熱感知器のプログラム、差動式熱感知器のプログラム、光電式煙感知器のプログラム、炎感知器のプログラムを、互いに別々のメモリに格納して保管、管理するので、部品や在庫の管理が煩雑であるという問題がある。
【０００９】
本発明は、定温式熱感知器のプログラム、差動式熱感知器のプログラム、光電式煙感知器のプログラム、炎感知器のプログラム等の複数の種別のプログラムを１つのメモリに格納し、そのうちの１つのプログラムを使用するようにして、部品や在庫の管理が容易となる火災受信装置を提供することを目的とするものである。
【課題を解決するための手段】
【００１０】
本発明の火災感知器は、定温式熱感知器、差動式熱感知器、光電式煙感知器、炎感知器等、種別の異なる複数の火災感知器のプログラムを格納しているメモリと、種別コードを格納した記憶部と、前記種別の異なる複数の火災感知器のプログラムのうちで、前記種別コードに設定されている種別の火災感知器のプログラムを実行するプログラム実行手段とを有することを特徴とする。
【００１１】
また、本発明の火災感知器の前記メモリは、前記種別の異なる複数の火災感知器のプログラムのうちで、共通する部分を１つのプログラムに置換えて格納しているメモリであることを特徴とする。
【００１２】
また、本発明の火災感知器の前記記憶部には、火災感知器個々の調整を行う個別コードが格納され、前記種別コードは、個別コードを格納するときに同時に格納されることを特徴とする。
【発明の効果】
【００１３】
本発明によれば、種別の異なる複数の火災感知器のプログラムを１つのメモリに格納し、種別コードにより、別途プログラム選択するための設定回路を設けることなく、そのうちの１つのプログラムを使用するようにして、部品や在庫の管理が容易とすることができるという効果を奏する。
【００１４】
また、前記種別の異なる複数の火災感知器のプログラムのうちで、共通する部分を１つのプログラムに置換えて格納するようにして、メモリの容量を小さくすることができる。
【００１５】
また、火災感知器個々を調整するために必要な個別コードを格納すると同時に種別コードを格納するようにして、別途種別コードを格納する必要がないため、製造工程が増えることがない。
【図面の簡単な説明】
【００１６】
【図１】この発明の実施の形態に係わる火災受信機を含む火災報知設備のシステム構成を示すブロック図である。
【図２】この発明の実施の形態に係わる定温式熱感知器を示すブロック図である。
【図３】本発明の実施の形態に係わる差動式熱感知器を示すブロック図である。
【図４】本発明の実施の形態に係わる光電式煙感知器を示すブロック図である。
【図５】本発明の実施の形態に係わる炎感知器を示すブロック図である。
【図６】本発明の実施の形態に係わるメモリの格納内容を示す図である。
【図７】本発明の実施の形態に係わる基本プログラムの処理を示すフローチャートである。
【図８】本発明の実施の形態に係わる定温式熱感知器動作プログラムの処理を示すフローチャートである。
【図９】本発明の実施の形態に係わる差動式熱感知器動作プログラムの処理を示すフローチャートである。
【図１０】本発明の実施の形態に係わる光電式煙感知器動作プログラムの処理を示すフローチャートである。
【図１１】本発明の実施の形態に係わる炎感知器動作プログラムの処理を示すフローチャートである。
【発明を実施するための形態】
【００１７】
本実施の形態について図１〜１１に基づいて説明する。
【００１８】
本発明に係わる火災感知器は、伝送信号（パルス信号）を送受信することによって火災受信機と火災信号等を授受するいわゆるＲ型の火災報知設備に利用される場合を例に説明する。
【００１９】
まず、本発明の実施の形態に係わる火災報知設備について説明する。
図１は、本発明の実施の形態に係わる火災報知設備の全体構成図である。図１では、定温式熱感知器ＳＥ１、差動式熱感知器ＳＥ２、光電式煙感知器ＳＥ３、炎感知器ＳＥ４、地区音響用中継器Ｃ１、防排煙制御用中継器Ｄ１が火災受信機ＦＡから敷設される信号線ＳＧに接続されている。なお、本実施の形態では、信号線ＳＧにより火災受信機ＦＡに接続された機器を、端末機器と総称する場合がある。
【００２０】
火災受信機ＦＡは、端末機器と信号線ＳＧを介して通信を行い、定温式熱感知器ＳＥ１などの火災感知器から火災信号を受信すると、地区響用中継器Ｃ１や防排煙制御用中継器Ｄ１に制御命令を送信して、ベルを鳴動させて避難を促したり、防火戸等を起動させて延焼を防いだりする。
【００２１】
図２は、本発明の実施の形態に係わる定温式熱感知器ＳＥ１のブロック図である。定温式熱感知器ＳＥ１は、制御部１１と、メモリ１２と、伝送部１３と、火災表示灯１４と、火災検出部１５とで構成され。火災検出部１５を除く、制御部１１とメモリ１２と伝送部１３と火災表示灯１４は、他の種別の火災感知器と共通の部品となっている。
【００２２】
制御部１１は、メモリ１２に格納されたプログラムに従い火災感知器を制御するプログラム実行手段である。メモリ１２は、定温式熱感知器のプログラム、差動式熱感知器のプログラム、光電式煙感知器のプログラム、炎感知器のプログラムの全てのプログラムが格納されている。また、メモリ１２は、火災検出部１５の調整等に用いられるデータである個別コードとともに火災感知器の種別を選択する種別コードを格納する記憶部１２ａ（図６参照）を有する。なお、本実施の形態では、メモリ１２に記憶部１２ａを設けるが、メモリ１２とは別のメモリに記憶部１２ａを設けるようにしても良い。
【００２３】
伝送部１３は、信号線ＳＧを介して火災受信機ＦＡと接続され、火災受信機ＦＡと通信を行い、火災受信機からの制御命令を受信したり、火災感知器の状態情報を返信したりする。火災表示灯１４は、火災感知器が火災を検出したとき、点灯して火災を検出したことを知らせる。
【００２４】
定温式熱感知器ＳＥ１の火災検出部１５は、温度測定部２１と、基準測定部２２と、定温式熱火災判定部２３とで構成される。
【００２５】
温度測定部２１は、温度により抵抗値が変化するサーミスタに基づき周囲温度を測定し、基準測定部２２は、ダイオード（もしくは、トランジスタ等の半導体のＰＮ接合）の順電圧に基づき温度を測定する。
【００２６】
ここで、基準測定部２２であるダイオードの順電圧は、ダイオード個々により同じ温度であったとしても異なる。しかし、同じ温度における順電圧は異なるが、温度による順電圧の変化量はほぼ一定であるため、例えば２５℃における順電圧をメモリ１２の記憶部１２ａに個別コードとして格納して、その個別コードからの順電圧の変化量により基準温度を測定する。
【００２７】
定温式熱火災判定部２３は、温度測定部２１が測定した周囲温度と基準測定部２２が測定した基準温度との差が所定の範囲内であれば温度測定部２１が正常と判断する。温度測定部２１が正常な状態で測定した温度が閾値を超えている場合には、火災と判定する。定温式熱火災判定部２３は、火災と判定すると、制御部１１に火災を検出したことを通知する。火災の通知を受けた制御部１１は、火災表示灯１４を点灯させるとともに伝送部１３により、火災受信機ＦＡに状態情報として火災を検出したことを通信する。
【００２８】
なお、温度測定部２１は、温度により状態が変化するものを利用すれば良く、サーミスタに限定するものではない。
【００２９】
図３は、本発明の実施の形態に係わる差動式熱感知器ＳＥ２のブロック図である。差動式熱感知器ＳＥ２は、制御部１１と、メモリ１２と、伝送部１３と、火災表示灯１４と、火災検出部１５とから構成される。火災検出部１５は、温度測定部２１と、基準測定部２２と、差動式熱火災判定部２４とから構成される。差動式熱火災判定部２４以外は、前述の定温式熱感知器ＳＥ１のそれと同じものである。
【００３０】
差動式熱火災判定部２４は、定温式熱火災判定部２３とほぼ同様であり、基準測定部２２が、記憶部１２ａに格納された個別コードからの順電圧の変化量により基準温度を測定して、温度測定部２１が測定した温度と基準測定部２２が測定した温度との差が所定の範囲内であれば温度測定部２１が正常と判断する点については同じである。差動式熱火災判定部２４と定温式熱火災判定部２３との違いは火災の判定方法であり、定温式熱火災判定部２３が、温度測定部２１が測定した温度が閾値を超えている場合に火災と判定するのに対して、差動式熱火災判定部２４は、温度測定部２１が測定した温度を所定期間収集して、収集した温度の最も低い温度と、その最も低い温度の後に収集された温度の最も高い温度の差が閾値を超えている場合には、火災と判断する。つまり、差動式熱火災判定部２４は、所定の期間内に、所定の温度以上に温度が上昇したとき火災を検出する。
【００３１】
図４は、本発明の実施の形態に係わる光電式煙感知器ＳＥ３のブロック図である。光電式煙感知器ＳＥ３は、制御部１１と、メモリ１２と、伝送部１３と、火災表示灯１４と、火災検出部１５とから構成される。火災検出部１５以外は、前述の定温式熱感知器ＳＥ１のそれと同じものである。
【００３２】
火災検出部１５は、発光部３１と、受光部３２と、煙増幅部３３と、光電式煙火災判定部３４とで構成される。発光部３１は、ＬＥＤ等の発光素子とそれを発光させるための駆動回路で構成され、発光素子が放射する光で外光を遮断した暗室部の内部を定期的に照射する。受光部３２は、発光部３１が照射した光が直接入力しない位置に配置されている。そのため、暗室部に煙が流入していないときには、発光部３１が照射した光が受光部３２には入力されない。暗室部に煙が流入したときには、発光部３１が照射した光が煙粒子により散乱され、その散乱光が受光部３２に入力する。受光部３２は、フォトダイオードを有し、フォトダイオードで受光した光を電圧に変換して受光出力として出力する。出力される電圧は、微少な電圧であるため、そのままでは火災の判断が困難である。そのため、煙増幅部３３で大きな電圧へと増幅して出力される。
【００３３】
ここで、光電式煙感知器ＳＥ３の感度は、発光部３１の光放射量と受光部３２の受光出力と煙増幅部３３の増幅率によって決まるが、発光部３１の光放射量と受光部３２の受光出力は、個々の光電式煙感知器ＳＥ３で異なるため、メモリ１２の記憶部１２ａに格納された個別コードによって煙増幅部３３の増幅率を切り換えて感度を一定に調整する。
【００３４】
光電式煙火災判定部３４は、煙増幅部３３で増幅された受光部３２の出力が閾値を超えている場合には、火災と判定する。光電式煙火災判定部３４は、火災と判定すると、制御部１１に火災を検出したことを通知する。火災の通知を受けた制御部１１は、火災表示灯１４を点灯させるとともに伝送部１３により、火災受信機ＦＡに状態情報として火災を検出したことを通信する。
【００３５】
なお、受光部３２は、光の量により状態が変化するものを利用すれば良く、フォトダイオードに限定するものではない。
【００３６】
図５は、本発明の実施の形態に係わる炎感知器ＳＥ４のブロック図である。炎感知器ＳＥ４は、制御部１１と、メモリ１２と、伝送部１３と、火災表示灯１４と、火災検出部１５とから構成される。火災検出部１５以外は、前述の定温式熱感知器ＳＥ１のそれと同じものである。
【００３７】
火災検出部１５は、焦電部４１と、炎増幅部４２と、炎火災判定部４３とで構成される。焦電部４１は、赤外線の受光量に応じて電圧を受光出力として出力する素子で、出力された電圧は、微少な電圧であるため、そのままでは火災が困難である。そのため、炎増幅部４２で大きな電圧へと増幅して出力される。
【００３８】
ここで、焦電部４１の受光量に対する出力は個々の素子で特性が異なり、この個体差を吸収するため、炎増幅部４２は、メモリ１２の記憶部１２ａに格納された個別コードによって増幅率を切り換えて調整する。
【００３９】
炎火災判定部４３は、火災の炎が放射する赤外線の量のゆらぎにより、炎増幅部４２で増幅された焦電部４１の起電圧が所定の期間以上に変動し（ゆらぎ）続ける場合には、火災と判定する。炎火災判定部４３は、火災と判定すると、制御部１１に火災を検出したことを通知する。火災の通知を受けた制御部１１は、火災表示灯１４を点灯させるとともに伝送部１３により、火災受信機ＦＡに状態情報として火災を検出したことを通信する。
【００４０】
図６は、本発明の実施の形態に係わるメモリ１２の格納内容を示す図である。メモリ１２には、基本プログラム５１と、定温式熱感知器動作プログラム５２と、差動式熱感知器動作プログラム５３と、光電式煙感知器動作プログラム５４と、炎感知器動作プログラム５５とが格納されていて、その他に記憶部１２ａがある。
【００４１】
基本プログラム５１は、火災表示灯プログラム５６と伝送プログラム５７とを含む全ての種別の火災感知器に共通の動作を行うプログラムである。定温式熱感知器動作プログラム５２と、差動式熱感知器動作プログラム５３と、光電式煙感知器動作プログラム５４と、炎感知器動作プログラム５５とは、それぞれの種別の火災感知器の動作プログラムである。
【００４２】
図７は、本発明の実施の形態に係わる基本プログラム５１の処理を示すフローチャートである。基本プログラム５１は、信号線ＳＧから電源が供給されて起動する（Ｓ１）と、メモリ１２の記憶部１２ａに格納されている種別コードを読み込み（Ｓ２）、種別コードが定温式熱感知器か判定する（Ｓ３）、種別コードが定温式熱感知器であれば、定温式熱感知器動作プログラム５２を選択して定温式熱感知器として起動する（Ｓ４）。
【００４３】
そうでなければ、種別コードが差動式熱感知器か判定する（Ｓ５）、種別コードが差動式熱感知器であれば、差動式熱感知器動作プログラム５３を選択して差動式熱感知器として起動する（Ｓ６）、そうでなければ、種別コードが光電式煙感知器か判断する（Ｓ７）、種別コードが光電式煙感知器であれば、光電式煙感知器動作プログラム５４を選択して光電式煙感知器として起動する（Ｓ８）、そうでなければ、炎感知器動作プログラム５５を選択して炎感知器として起動する（Ｓ９）。
【００４４】
種別が決まり起動した火災感知器は、火災検出部１５が火災を検出していないかを判断する（Ｓ１０）、火災を検出しているときは、火災表示灯プログラム５６により、火災表示灯１４を表示させる（Ｓ１１）。
【００４５】
火災感知器は、伝送プログラム５７により火災受信機ＦＡと通信を行うため、伝送部１３が火災受信機ＦＡから通信を受信してないか判断して（Ｓ１２）、通信を受信していれば火災受信機ＦＡに火災を検出しているか否かの情報を含む自己の状態情報を伝送部１３により火災受信機ＦＡに返送する（Ｓ１３）。その後、Ｓ１０に戻り、Ｓ１０〜Ｓ１３の動作を継続する。
【００４６】
図８は、本発明の実施の形態に係わる定温式熱感知器動作プログラム５２のフローチャートである。定温式熱感知器動作プログラム５２は、メモリ１２の記憶部１２ａから個別コードを読み込み（Ｓ２１）、温度測定部２１で周囲温度を測定する（Ｓ２２）。基準測定部２２で個別コードからの順電圧の変化量により基準温度を測定する（Ｓ２３）、周囲温度と基準温度の差は所定の範囲以内かを判断して（Ｓ２４）、差が所定の範囲内であれば、周囲温度が閾値を超えているか判断して（Ｓ２５）、閾値を超えている場合には、火災検出部１５が火災を検出したことを基本プログラム５１に通知する（Ｓ２６）。Ｓ２４の処理で差が所定の範囲内でない場合およびＳ２５の処理で閾値を超えていない場合には、Ｓ２２の処理に戻る。定温式熱感知器動作プログラム５２は、Ｓ２２〜Ｓ２６の処理を繰り返して火災の検出を行う。
【００４７】
図９は、本発明の実施の形態に係わる差動式熱感知器動作プログラム５３のフローチャートである。差動式熱感知器動作プログラム５３は、メモリ１２の記憶部１２ａから個別コードを読み込み（Ｓ３１）、温度測定部２１で周囲温度を測定する（Ｓ３２）。基準測定部２２で個別コードからの順電圧の変化量により基準温度を測定する（Ｓ３３）、周囲温度と基準温度の差は所定の範囲以内かを判断して（Ｓ３４）、差が所定の範囲内であれば、周囲温度を記憶する（Ｓ３５）。記憶した所定時間（例えば、過去３分間）の周囲温度データから最も低い温度を抽出し（Ｓ３６）、その最も低い温度よりも後の最も高い温度を抽出して（Ｓ３７）、抽出した最も高い温度と最も低い温度の差を算出する（Ｓ３８）。算出した温度差が閾値を超えているか判断して（Ｓ３９）、閾値を超えている場合には、火災検出部１５が火災を検出したことを基本プログラム５１に通知する（Ｓ４０）。Ｓ３４の処理で差が所定の範囲内でない場合およびＳ３９の処理で閾値を超えていない場合には、Ｓ３２の処理に戻る。差動式熱感知器動作プログラム５３は、Ｓ３２〜Ｓ４０の処理を繰り返して火災の検出を行う。
【００４８】
図１０は、本発明の実施の形態に係わる光電式煙感知器動作プログラム５４のフローチャートである。光電式煙感知器動作プログラム５４は、メモリ１２の記憶部１２ａから個別コードを読み込み（Ｓ４１）、個別コードに基づき煙増幅部３５の増幅率を設定する（Ｓ４２）。発光部３３を発光させて（Ｓ４３）、受光部３４の受光量に応じた出力を煙増幅部３５で増幅する（Ｓ４４）。増幅した出力が閾値を超えているか判断して（Ｓ４５）、閾値を超えている場合には、火災検出部１５が火災を検出したことを基本プログラム５１に通知する（Ｓ４６）。Ｓ４５の処理で閾値を超えていない場合には、Ｓ４３の処理に戻る。光電式煙感知器動作プログラム５４は、Ｓ４３〜Ｓ４６の処理を繰り返して火災の検出を行う。
【００４９】
図１１は、本発明の実施の形態に係わる炎感知器動作プログラム５５のフローチャートである。炎感知器動作プログラム５５は、メモリ１２の記憶部１２ａから個別コードを読み込み（Ｓ５１）、個別コードに基づき炎増幅部４２の増幅率を設定して（Ｓ５２）、焦電部４１の受光量に応じた出力を炎増幅部４２で増幅する（Ｓ５３）。増幅した出力が変動している（ゆらいでいる）か判断して（Ｓ５４）、揺らいでいる場合には、その変動（ゆらぎ）が所定時間（例えば、１５秒）継続しているかを判断する（Ｓ５５）。変動（ゆらぎ）が所定時間継続している場合には、火災検出部１５が火災を検出したことを基本プログラム５１に通知する（Ｓ５６）。Ｓ５４の処理で増幅した電圧が変動していない場合およびＳ５５の処理で変動が所定時間継続していない場合には、Ｓ５３の処理に戻る。炎感知器動作プログラム５５は、Ｓ５３〜Ｓ５６の処理を繰り返して火災の検出を行う。
【００５０】
ここで、火災感知器の種別コードと個別データの設定について説明する。上記の種別の異なる複数の火災感知器のプログラムを格納しているメモリ１２が火災感知器の基板に実装された後に、例えば実装された基板が光電式煙感知器ＳＥ３であれば、受光部３４の特性を測定して煙増幅部３３の増幅率に係わる個別コードを決定し、記憶部１２ａに個別コードを書き込む、このとき同時に記憶部１２ａに光電式煙感知器の種別コードを書き込む。
【００５１】
なお、本実施の形態では、火災受信機と火災信号等を授受するいわゆるＲ型の火災報知設備に利用される火災感知器について説明したが、伝送部１３をオンオフで火災の検出を火災受信機に通知するものに変更して、いわゆるＰ型の火災報知設備の火災感知器とすることもできるし、電池を搭載して伝送部１３をブザーなどの音響装置に変更して、単体で火災を検出して警報を行う住宅用火災感知器とすることもできるし、その全てのプログラムを格納して種別コードにより、Ｒ型用、Ｐ型用、住宅用についても切り換えるようすることができる。
【００５２】
以上のように、本発明によれば、種別の異なる複数の火災感知器のプログラムを１つのメモリに格納し、種別コードにより、別途プログラム選択するための設定回路を設けることなく、そのうちの１つのプログラムを使用するようにして、部品や在庫の管理が容易とすることができるという効果を奏する。
【００５３】
また、前記種別の異なる複数の火災感知器のプログラムのうちで、共通する部分を１つのプログラムに置換えて格納するようにして、メモリの容量を小さくすることができる。
【００５４】
また、火災感知器個々を調整するために必要な個別コードを格納すると同時に種別コードを格納するようにして、別途種別コードを格納する必要がないため、製造工程が増えることがない。
【符号の説明】
【００５５】
ＦＡ  火災受信機、ＳＥ１  定温式熱感知器、ＳＥ２  差動式熱感知器、ＳＥ３  光電式煙感知器、ＳＥ４  炎感知器、１１  制御部、１２  メモリ、１２ａ  記憶部、１３  伝送部、１４  火災表示灯、１５  火災検出部、２１  温度測定部、２２  基準測定部、２３  定温式熱火災判定部、２４  差動式熱火災判定部、３１  発光部、３２  受光部、３３  煙増幅部、３４  光電式煙火災判定部、４１  焦電部、４２  炎増幅部、４３  炎火災判定部、５１  基本プログラム、５２  定温式熱感知器動作プログラム、５３  差動式熱感知器動作プログラム、５４  光電式煙感知器動作プログラム、５５  炎感知器動作プログラム、５６  火災表示灯プログラム、５７  伝送プログラム
【図１】
2013069160.tif 000003
【図２】
2013069160.tif 000004
【図３】
2013069160.tif 000005
【図４】
2013069160.tif 000006
【図５】
2013069160.tif 000007
【図６】
2013069160.tif 000008
【図７】
2013069160.tif 000009
【図８】
2013069160.tif 000010
【図９】
2013069160.tif 000011
【図１０】
2013069160.tif 000012
【図１１】
2013069160.tif 000013